(57)【要約】【課題】各端末により表示部の表示を自由に切り替えて利便性を向上できるディスプレイ装置を提供する。【解決手段】通信部４を介して複数の端末１０と通信を行い、各端末１０の画面を択一的に表示部５に表示するディスプレイ装置１において、一の端末１０Ａの画面を表示部５に表示している際に、他の端末１０Ｂから表示要求を受信すると表示部５の表示を許可する解除コード６を生成して表示部５に表示し、他の端末１０Ｂにより解除コード６が入力されると表示部５の表示を他の端末１０Ｂの画面に切り替える構成とした。【選択図】図１
2014103546.tif 000002
【特許請求の範囲】
【請求項１】
通信部を介して複数の端末と通信を行い、各端末の画面を択一的に表示部に表示するディスプレイ装置において、
一の端末の画面を前記表示部に表示している際に、他の端末から表示要求を受信すると前記表示部の表示を許可する解除コードを生成して前記表示部に表示し、他の前記端末により前記解除コードが入力されると前記表示部の表示を他の前記端末の画面に切り替えることを特徴とするディスプレイ装置。
【請求項２】
他の前記端末から前記表示要求を受信した際に、一の前記端末に対して画面の切り替えの承認を行うことを特徴とする請求項１に記載のディスプレイ装置。
【請求項３】
一の前記端末が承認を行うと、前記表示部の表示を他の前記端末の画面に切り替えることを特徴とする請求項２に記載のディスプレイ装置。
【請求項４】
前記表示部の変化が所定時間ない場合に、生成して解除コードを前記表示部に表示し、該解除コードを入力した端末の画面を前記表示部に表示することを特徴とする請求項１〜３のいずれかに記載のディスプレイ装置。
【請求項５】
起動時に生成して解除コードを前記表示部に表示し、該解除コードを入力した端末の画面を前記表示部に表示することを特徴とする請求項１〜４のいずれかに記載のディスプレイ装置。
【請求項６】
画面を前記表示部に表示した端末の端末情報を記憶する記憶部を備え、前記記憶部に記憶された端末の一覧を一の端末に送信するとともに、
一の前記端末により該一覧に含まれる端末が選択された際に、前記表示部の表示を一の前記端末により選択された端末の画面に切り替えることを特徴とする請求項１〜５のいずれかに記載のディスプレイ装置。
【発明の詳細な説明】
【技術分野】
【０００１】
本発明は通信部を備えたディスプレイ装置に関する。
【背景技術】
【０００２】
従来のディスプレイ装置は特許文献１に開示される。このディスプレイ装置は無線により複数の端末と通信を行う通信部と表示部とを備える。
【０００３】
各端末はディスプレイ装置の表示部を利用できる時間と順序がディスプレイ装置によって設定されている。所定の順序になると、各端末は表示部に端末の画面を表示することができる。そして予め設定された時間になると、ディスプレイ装置によって表示部の表示が他の端末の画面に切り替えられる。これにより、ユーザはディスプレイ装置の表示部を公平な時間配分で利用することができ、所定の順序に沿って会議室内でプレゼンテーションなどを行う。
【先行技術文献】
【特許文献】
【０００４】
【特許文献１】特開２００５−２４４３３２号公報
【発明の概要】
【発明が解決しようとする課題】
【０００５】
しかしながら、上記従来のディスプレイ装置は端末による表示部の利用時間及び順序が予め設定されている。このため、各端末は自由に切り替えて利用することができないとう問題がある。
【０００６】
本発明は各端末により表示部の表示を自由に切り替えて利便性を向上できるディスプレイ装置を提供することを目的とする。
【課題を解決するための手段】
【０００７】
上記目的を達成するために本発明は、通信部を介して複数の端末と通信を行い、各端末の画面を択一的に表示部に表示するディスプレイ装置において、一の端末の画面を前記表示部に表示している際に、他の端末から表示要求を受信すると前記表示部の表示を許可する解除コードを生成して前記表示部に表示し、他の前記端末により前記解除コードが入力されると前記表示部の表示を他の前記端末の画面に切り替えることを特徴とする。
【０００８】
この構成によると、複数の端末が通信部を介してディスプレイ装置と通信を行っている。一の端末の画面を表示部に表示している際に、他の端末からディスプレイ装置に対して表示要求が行われると、ディスプレイ装置は解除コードを生成して表示部に表示する。そして、表示要求を行った端末により入力された解除コードをディスプレイ装置が受信すると、表示部の表示を該端末の画面に切り替える。
【０００９】
また本発明は、上記構成のディスプレイ装置において、他の前記端末から前記表示要求を受信した際に、一の前記端末に対して画面の切り替えの承認を行うことを特徴とする。
【００１０】
この構成によると、一の端末によって承認が行われてから表示部の画面の切り替えが行われる。
【００１１】
また本発明は、上記構成のディスプレイ装置において、一の前記端末が承認を行うと、前記表示部の表示を他の前記端末の画面に切り替えることを特徴とする。
【００１２】
また本発明は、上記構成のディスプレイ装置において、前記表示部の変化が所定時間ない場合に、生成して解除コードを前記表示部に表示し、該解除コードを入力した端末の画面を前記表示部に表示することを特徴とする。
【００１３】
この構成によると、一の端末の利用ユーザの退席等により表示部の変化が所定時間ない場合には他の端末からの表示要求の有無に拘らず解除コードを表示部に表示する。
【００１４】
また本発明は、上記構成のディスプレイ装置において、起動時に生成して解除コードを前記表示部に表示し、該解除コードを入力した端末の画面を前記表示部に表示することを特徴とする。
【００１５】
また本発明は、上記構成のディスプレイ装置において、画面を前記表示部に表示した端末の端末情報を記憶する記憶部を備え、前記記憶部に記憶された端末の一覧を一の端末に送信するとともに、一の前記端末により該一覧に含まれる端末が選択された際に、前記表示部の表示を一の前記端末により選択された端末の画面に切り替えることを特徴とする。
【００１６】
この構成によると、表示部に画面を表示中の端末には端末の一覧が表示されている。そして、該端末によって一覧の中の端末を選択すると、選択した端末の画面に表示部の表示が切り替わる。
【発明の効果】
【００１７】
本発明によると、一の端末の画面を表示部に表示している際に、他の端末から表示要求を受信すると解除コードを生成して表示部に表示し、他の端末により解除コードが入力されると表示部の表示を他の端末の画面に切り替えるため、室外の端末によって表示部の画面が切り替えられることを防ぎ、解除コードを視認できるユーザの操作に応じて表示部の画面を自由に切り替えてディスプレイ装置の利便性を向上できる。
【図面の簡単な説明】
【００１８】
【図１】本発明の実施形態のディスプレイ切替システムの全体構成を示す図
【図２】本発明の実施形態のディスプレイ装置の機能ブロック図を示す図
【図３】本発明の実施形態の端末の機能ブロック図を示す図
【図４】本発明の実施形態のディスプレイ装置の動作を示すフローチャート
【図５】本発明の実施形態のディスプレイ装置の表示部を示す図
【図６】本発明の実施形態の端末の表示部を示す図
【発明を実施するための形態】
【００１９】
本発明の実施形態を図面を参照して説明する。図１は一実施形態のディスプレイ切替システム１００の全体構成を示す。ディスプレイ切替システム１００はディスプレイ装置１及び複数の端末１０が会議室内などに設けられる。端末１０は端末１０Ａ〜１０Ｃから成り、それぞれの端末１０Ａ〜１０Ｃはディスプレイ装置１と無線通信を行う。
【００２０】
図２はディスプレイ装置１の構成を示す機能ブロック図である。制御部２には記憶部３、通信部４及び表示部５が接続される。記憶部３はＲＯＭやＲＡＭなどによって構成され、所定のプログラムや後述する端末情報を記憶するとともに、制御部による演算結果を一時記憶する。通信部２１は無線で通信可能な構成であって、所定のプロトコルを用いて端末１０Ａ〜１０Ｃと通信を行う。表示部５はディスプレイ装置１に接続される端末１０Ａ〜１０Ｃの画面を表示する。
【００２１】
図３は端末１０Ａの構成を示す機能ブロック図である。制御部１１には記憶部１２、通信部１３、表示部１４及び操作部１５が接続される。記憶部１２はハードディスク、ＲＯＭ及びＡＭなどによって構成され、プログラムやデータを記憶するとともに、制御部１１による演算結果を一時記憶する。通信部１３は無線で通信可能な構成であって、所定のプロトコルを用いてディスプレイ装置１と通信を行う。操作部１５はキーボードやマウスなどから構成され、ユーザの入力を受け付ける。表示部１４は操作部１５の操作に応じたプログラムの実行画面を表示する。尚、他の端末１０Ｂ、１０Ｃも端末１０Ａと同じ構成である。
【００２２】
次に図４のフローチャートを用いて、ディスプレイ装置１の動作について説明する。ディスプレイ装置１が起動されると、ステップＳ１では図５に示すように各端末の表示部の表示を許可する解除コード６を生成して表示部５に表示される。ステップＳ２ではディスプレイ装置１の電源をＯＦＦするか否か判断される。ディスプレイ装置１の電源をＯＦＦする場合にはフローチャートを終了し、ディスプレイ装置１の電源をＯＦＦしない場合にはステップＳ３へ移行する。
【００２３】
ステップＳ３では端末１０Ａ〜１０Ｃのいずれかから解除コード６が入力されたか否かが判断される。端末１０Ａ〜１０Ｃから解除コード６が入力されない場合にはステップＳ２に戻り、ステップＳ２、Ｓ３が繰り返される。例えば端末１０Ａから解除コード６が入力されるとステップＳ４へ移行する。以下、端末１０Ａの画面が表示部５に表示されている状態として説明する。
【００２４】
ステップＳ４では解除コード６を入力した端末１０Ａの端末情報が記憶部３に記憶される。端末情報は端末１０ＡのＩＰアドレス、ＭＡＣアドレス、ホスト名及び日時などがから構成される。
【００２５】
ステップＳ５では表示部５の表示を端末１０Ａの画面に切り替える。ステップＳ６では記憶部３に記憶された端末１０の一覧が表示部５に端末画面を表示中の端末１０Ａに送信される。ここでは、記憶部３に記憶された端末１０が端末１０Ａのみであるが、詳細を後述するように表示部５の表示が各端末１０の画面に切り替えられた場合は複数の端末１０の端末情報が記憶部３に記憶される。これにより、表示中の端末１０には複数の端末１０の一覧が送信される。
【００２６】
ステップＳ７では端末１０Ａの操作があったか否かが判断される。操作があった場合にはステップＳ８へ移行し、操作がなかった場合にはステップＳ９へ移行する。ステップＳ８では端末１０Ａの操作により変更された端末１０Ａの画面に応じて表示部５の表示内容が変更される。
【００２７】
ステップＳ９では端末１０Ａによる他の端末１０への切り替え操作が行われたか否かが判断される。ここでは、ステップＳ６により端末１０Ａが受信した端末情報に他の端末１０が含まれないため、ステップＳ１０に移行する。ステップＳ６で複数の端末１０の端末情報が送信された場合は後述する。
【００２８】
ステップＳ１０では画面を表示部５に表示していない端末１０Ｂ又は端末１０Ｃからディスプレイ装置１に対して表示要求があったか否かが判断される。端末１０Ｂ又は端末１０Ｃからディスプレイ装置１に対して表示要求があるとステップＳ１１へ移行し、表示要求がない場合にはステップＳ１４へ移行する。
【００２９】
ステップＳ１１ではディスプレイ装置１は画面を表示部５に表示している端末１０Ａに対して承認要求を行う。ステップＳ１２では端末１０Ａが承認を行うか否かが判断される。端末１０Ａが承認する場合にはステップＳ１３へ移行し、承認しない場合にはステップＳ１４へ移行する。
【００３０】
ステップＳ１４では表示部５の変化のない状態で所定時間が経過しているか否かが判断される。例えば端末１０Ａのユーザが席を外していて表示部５の変化のない状態で所定時間が経過している場合にはステップＳ１へ移行し、経過してない場合にはステップＳ１５へ移行する。尚、ステップＳ１で解除コード６が表示されるが、この時の解除コード６はいずれの端末１０からの入力も有効である。そして、ステップＳ５で表示部５の表示が解除コード６を入力した端末１０の画面に切り替えられる。
【００３１】
ステップＳ１５ではディスプレイ装置１の電源がＯＦＦされたか否かが判断される。ディスプレイ装置１の電源がＯＦＦされた場合にはフローチャートを終了し、ＯＦＦしない場合にはステップＳ７に戻り、ステップＳ７〜Ｓ１４が繰り返される。
【００３２】
ステップＳ１２で端末１０Ａの承認が行われると、ステップＳ１３では表示要求を行った端末１０Ｂ又は端末１０Ｃの端末情報が記憶部３に記憶されているか否かが判断される。表示要求を行った端末１０Ｂ又は端末１０Ｃの端末情報が記憶部に記憶されていない場合にはステップＳ１に移行する。これにより、解除コード６が表示部５に表示される（ステップＳ１）。
【００３３】
そして、端末１０Ｂまたは端末１０Ｃによって解除コード６が入力されると、表示部５の表示が端末１０Ｂまたは端末１０Ｃの画面に切り替えられる（ステップＳ５）。この時、解除コード６の入力は表示要求を行った端末１０Ｂまたは端末１０Ｃのみ受け付ける。
【００３４】
表示要求を行った端末１０Ｂまたは端末１０Ｃの端末情報が記憶されている場合にはステップＳ５に移行する。これにより、表示部５の表示が表示要求を行った端末１０Ｂまたは端末１０Ｃの画面に切り替えられる。
【００３５】
ステップＳ１３またはステップＳ１４の判断でステップＳ１に戻って端末１０により解除コード６が入力されると、記憶部３には複数の端末１０の端末情報が記憶される（ステップＳ５）。これにより、ステップＳ６では表示部５に画面を表示中の端末１０に複数の端末１０の一覧が送信される。
【００３６】
この時、端末画面を表示部５に表示中の端末１０には端末情報の受信によって図６に示すように各端末１０の選択メニュー１４ａが表示される。選択メニュー１４ａの選択によって他の端末１０への切り替え操作を行うことができる。他の端末１０への切り替え操作が行われると、ステップＳ９の判断でステップＳ５に移行して表示部５の表示が切り替えられる。
【００３７】
本実施形態によると、端末１０Ａの画面を表示部５に表示している際に、端末１０Ｂまたは端末１０Ｃから表示要求を受信すると端末１０Ｂの表示部又は端末１０Ｃの表示部の表示を許可する解除コード６を生成して表示部５に表示し、端末１０Ｂまたは端末１０Ｃにより解除コード６が入力されると表示部５の表示を端末１０Ｂまたは端末１０Ｃの画面に切り替える。このため、表示部５に表示される解除コード６を視認できるユーザの操作に応じて表示部５の画面が自由に切り替えられる。従って、会議室内等の室外の端末によって表示部５の画面が切り替えられることはなく、ディスプレイ装置１の利便性を向上することができる。
【００３８】
また、端末１０Ｂから表示要求を受信した際に、端末１０Ａに対して画面の切り替えの承認を行うため、画面の強制的な切り替えを防止することができる。従って、より利便性が向上する。
【００３９】
また、表示部５の変化が所定時間ない場合には解除コード６を生成して表示部５に表示し、解除コード６を入力した端末１０の画面を表示部５に表示する。このため、画面を表示部５に表示中の端末１０のユーザが退席した場合等に他の端末１０から表示要求を行う必要がなく、ディスプレイ装置１の利便性を向上することができる。
【００４０】
また、起動時に解除コード６を生成して表示部５に表示し、解除コード６を入力した端末１０の画面を表示部５に表示する。表示部５が端末１０の画面を未表示の状態で端末１０から表示要求を行う必要がなく、容易に端末１０の画面を表示部５に表示させることができる。
【００４１】
また、記憶部３に記憶された端末１０の一覧を一の端末に送信して画面を表示させ、表示部５の表示を該一覧から選択された端末の画面に切り替える。このため表示部５に表示中の端末１０によって、容易に他の端末１０の画面に切り替えることができる。
【産業上の利用可能性】
【００４２】
本発明は通信部を備えたディスプレイ装置に利用することができる。
【符号の説明】
【００４３】
１    ディスプレイ装置
２    制御部
３    記憶部
４    通信部
５    表示部
６    解除コード
１０Ａ〜１０Ｃ    端末
１１  制御部
１４    表示部
１４ａ    メニュー
１００  ディスプレイ切替システム
【図１】
2014103546.tif 000003
【図２】
2014103546.tif 000004
【図３】
2014103546.tif 000005
【図４】
2014103546.tif 000006
【図５】
2014103546.tif 000007
【図６】
2014103546.tif 000008